(57)【要約】      （修正有）【課題】効率よく頭部全体に刺激を与えることができる頭部健康装着具を提供する。【解決手段】顔面を覆うための前カバーユニット４１と、後頭部を覆うための後カバーユニット４２と、を有する頭部健康装着具であって、前記前カバーユニット４１及び前記後カバーユニット４２に特殊機能粒子が封入されたパッドユニット５１、５２がそれぞれ収容されていることを特徴する特殊機能粒子として、遠赤外線粒子とマイナスイオン粒子と銀ナノ粒子のいずれか１種類の粒子を備える。【選択図】図３
0003180020.tif 000002
【実用新案登録請求の範囲】
【請求項１】
顔面を覆うための前カバーユニットと、後頭部を覆うための後カバーユニットと、を有する頭部健康装着具であって、
前記前カバーユニット及び前記後カバーユニットに特殊機能粒子が封入されたパッドユニットがそれぞれ収容されていることを特徴する頭部健康装着具。
【請求項２】
前記前カバーユニットと前記後カバーユニットとは、使用者の頭部に装着することができる連結ユニットで互いに繋がれていることを特徴する請求項１に記載の頭部健康装着具。
【請求項３】
前記前カバーユニットは、目を覆うことができる目遮蔽部と、鼻梁を覆うことができる鼻梁遮蔽部と、こめかみを覆うことができるこめかみ遮蔽部と、を有していることを特徴する請求項１または請求項２に記載の頭部健康装着具。
【請求項４】
前記連結ユニットは、伸縮性があるベルトにより構成されていることを特徴する請求項２または請求項３に記載の頭部健康装着具。
【請求項５】
前記前カバーユニットは、互いに向き合っている第１の布材と第２の布材とで、該第１の布材と該第２の布材との間に前記パッドユニットを収容するための第1の収容空間を画成するように構成されており、
前記後カバーユニットは、互いに向き合っている第３の布材と第４の布材とで、該第３の布材と該第４の布材との間に前記パッドユニットを収容するための第２の収容空間を画成するように構成されており、
更に、前記第１、第２、第３、第４の布材において、少なくとも１つが接触冷感生地であることを特徴する請求項１〜請求項４のいずれか一項に記載の頭部健康装着具。
【考案の詳細な説明】
【技術分野】
【０００１】
本考案は頭部健康装着具に関し、特に、効率よく頭部全体を刺激することができる頭部健康装着具に関する。
【背景技術】
【０００２】
アイマスクやスリープマスクは、明るい場所で睡眠をとりやすくするため目を覆い光を遮るために用いるものであるが、近年では図１、図２に示されている健康促進機能が強化されたアイマスクが主流になっている（特許文献１参照）。該従来のアイマスク１は、顔面を覆うためのカバーユニット１１と、該カバーユニット１１内に収容されているパッドユニット１２と、カバーユニット１１を例えば頭部に装着することができる装着ベルト１３とを備えている。パッドユニット１２は、スポンジパッド１２１と、スポンジパッド１２１に封入されている特殊機能粒子１２２とからなり、特殊機能粒子１２２としては、例えばマイナスイオンや遠赤外線、微量放射線などの何れかを発生する粒子が用いられている。
【０００３】
このようなアイマスクは、遠赤外線の温熱効果やマイナスイオン効果を利用して眼やその周辺の顔面皮膚に刺激を与えてその健康状態を改善することができると言われている。
【先行技術文献】
【特許文献】
【０００４】
【特許文献１】台湾実用新案第Ｍ３２８２８０号明細書
【考案の概要】
【考案が解決しようとする課題】
【０００５】
上記従来のアイマスクは、眼やその周辺の顔面皮膚に刺激を与えることができるが、改良の余地が残されている。本考案はこのような従来のアイマスクを改良し、効率よく頭部全体を刺激することができる頭部健康装着具の提供を目的とする。
【課題を解決するための手段】
【０００６】
上記目的を達成すべく、本考案は、顔面を覆うための前カバーユニットと、後頭部を覆うための後カバーユニットと、を有する頭部健康装着具であって、前記前カバーユニット及び前記後カバーユニットに特殊機能粒子が封入されたパッドユニットがそれぞれ収容されていることを特徴する頭部健康装着具を提供する。
【０００７】
上記頭部健康装着具において、前記前カバーユニットと前記後カバーユニットとは、使用者の頭部に装着することができる連結ユニットで互いに繋がれていることが好ましい。
【０００８】
上記頭部健康装着具において、前記前カバーユニットは、目を覆うことができる目遮蔽部と、鼻梁を覆うことができる鼻梁遮蔽部と、こめかみを覆うことができるこめかみ遮蔽部と、を有していることが好ましい。
【０００９】
上記頭部健康装着具において、前記連結ユニットは、伸縮性があるベルトにより構成されていることが好ましい。
【００１０】
上記頭部健康装着具において、前記前カバーユニットは、互いに向き合っている第１の布材と第２の布材とで、該第１の布材と該第２の布材との間に前記パッドユニットを収容するための第1の収容空間を画成するように構成されており、前記後カバーユニットは、互いに向き合っている第３の布材と第４の布材とで、該第３の布材と該第４の布材との間に前記パッドユニットを収容するための第２の収容空間を画成するように構成されており、更に、前記第１、第２、第３、第４の布材において、少なくとも１つが接触冷感生地であることが好ましい。
【考案の効果】
【００１１】
上記構成により、本考案の頭部健康装着具は、前カバーユニットと後カバーユニットにそれぞれ収容されているパッドユニットに封入された特殊機能粒子で、効率よく頭部全体に刺激を与えることができる。
【図面の簡単な説明】
【００１２】
【図１】従来のアイマスクの斜視図である。
【図２】従来のアイマスクの装着方法が示されている説明図である。
【図３】本考案の頭部健康装着具の斜視図である。
【図４】本考案の頭部健康装着具の構成が示されている断面図である。
【図５】本考案の頭部健康装着具の装着方法が示されている説明図である。
【図６】本考案の頭部健康装着具の装着方法が示されている説明図である。
【考案を実施するための形態】
【００１３】
以下では各図面を参照しながら、本考案の好ましい実施形態について詳しく説明する。
【００１４】
図３は本考案の頭部健康装着具の斜視図であり、図４は本考案の頭部健康装着具の構成が示されている断面図であり、図５、図６は本考案の頭部健康装着具の装着方法が示されている説明図である。
【００１５】
図３に示されているように、本考案の頭部健康装着具は、顔面を覆うための前カバーユニット４１と、後頭部を覆うための後カバーユニット４２とを有する頭部健康装着具であり、前カバーユニット４１及び後カバーユニット４２にパッドユニット５１、５２がそれぞれ収容されている。また、前カバーユニット４１と後カバーユニット４２とは、使用者の頭部に装着することができる連結ユニット６で互いに繋がれている。
【００１６】
図４に示されているように、前カバーユニット４１は、互いに向き合っている第１の布材４１１と第２の布材４１２とで、該第１の布材４１１と該第２の布材４１２との間にパッドユニット５１を収容するための第1の収容空間４１３を画成し、且つ、パッドユニット５１は第1の収容空間４１３内に収容されるように構成されている。
【００１７】
後カバーユニット４２は、前カバーユニット４１と同じ構成になっており、即ち、互いに向き合っている第３の布材４２１と第４の布材４２２とで、該第３の布材４２１と該第４の布材４２２との間にパッドユニット５２を収容するための第２の収容空間４２３を画成し、且つ、パッドユニット５２は第２の収容空間４２３に収容されるように構成されている。
【００１８】
ここで、第１、第２、第３、第４の布材４１１、４１２、４２１、４２２は、例えば熱可塑性エラストマーなどを用いる接触冷感に優れた接触冷感生地を採用することで、装着の快適性を高めることが好ましい。
【００１９】
更に、この実施形態の前カバーユニット４１は、目を覆うことができる目遮蔽部４０１と、鼻梁を覆うことができる鼻梁遮蔽部４０２と、こめかみを覆うことができるこめかみ遮蔽部４０３と、を有しており、前カバーユニット４１に収容されているパッドユニット５１は、これら目遮蔽部４０１と鼻梁遮蔽部４０２とこめかみ遮蔽部４０３に合わせて、目と鼻梁とこめかみとを覆う形状になっている。
【００２０】
前カバーユニット４１及び後カバーユニット４２にそれぞれ収容されているパッドユニット５１、５２は、いずれにもパッド体５３１と、パッド体５３１に封入されている多数の特殊機能粒子５３２とを備えている。
【００２１】
この実施形態において、特殊機能粒子５３２として、遠赤外線粒子５３３と、マイナスイオン粒子５３４と、銀ナノ粒子５３５とからなるが、遠赤外線粒子５３３とマイナスイオン粒子５３４と銀ナノ粒子５３５とをすべて備える必要はなく、いずれか１種類の粒子を備えればよい。
【００２２】
この実施形態において、連結ユニット６は、二本の伸縮性があるベルト６１により構成されている。各ベルト６１は、端部６１１で前カバーユニット４１及び前記後カバーユニット４２にそれぞれ固定されている。
【００２３】
図５、図６に示されているように、本考案の頭部健康装着具は、前カバーユニット４１で顔面を覆い、そして後カバーユニット４２で後頭部を覆うように頭部３装着することが可能であり、前カバーユニット４１と後カバーユニット４２にそれぞれ収容されているパッドユニットに封入された特殊機能粒子５３２で、効率よく頭部３全体に刺激を与えることができる。
【産業上の利用可能性】
【００２４】
本考案の頭部健康装着具は、前カバーユニット４１と後カバーユニット４２にそれぞれ収容されているパッドユニットに封入された特殊機能粒子５３２で、効率よく頭部全体に刺激を与えることができる。
【符号の説明】
【００２５】
３  頭部
４１  前カバーユニット
４２  後カバーユニット
５１  パッドユニット
５２  パッドユニット
６  連結ユニット
４１１  第１の布材
４１２  第２の布材
４１３  第1の収容空間
４２１  第３の布材
４２２  第４の布材
４２３  第２の収容空間
４０１  目遮蔽部
４０２  鼻梁遮蔽部
４０３  こめかみ遮蔽部
５３１  パッド体
５３２  特殊機能粒子
５３３  遠赤外線粒子
５３４  マイナスイオン粒子
５３５  銀ナノ粒子
６１  ベルト
６１１  端部
【図１】
0003180020.tif 000003
【図２】
0003180020.tif 000004
【図３】
0003180020.tif 000005
【図４】
0003180020.tif 000006
【図５】
0003180020.tif 000007
【図６】
0003180020.tif 000008